【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
患者への呼吸可能なガスの流れを送達する患者インターフェースおよび呼吸可能なガス流れを生成する呼吸治療デバイスとの結合用の装置であって、
前記生成された呼吸可能なガスの流れを前記呼吸治療デバイスから前記患者インターフェースへ導通させるように構成されたガス通路を有する送達導管であって、前記送達導管は、呼吸治療デバイスカプラエンドおよび患者インターフェースカプラエンドを有し、前記送達導管の長さは、前記呼吸治療デバイスカプラエンドから前記患者インターフェースカプラエンドへ延びる、送達導管と、
前記呼吸治療デバイスカプラエンドよりも前記患者インターフェースカプラエンドに近い前記送達導管の長さに沿った一点において前記送達導管上に取り付けられた無線トランシーバであって、該無線トランシーバは、前記呼吸治療デバイスに接続されたアクセサリ上に保存されたデータを受信し、該データをコントローラに送信するように構成されている、無線トランシーバと
を含んでなる呼吸装置。
【請求項２】
前記無線トランシーバは、前記患者インターフェースカプラエンドにおいて接続された前記アクセサリから送信されたアクセサリ識別子を検出するように構成される、請求項１の呼吸装置。
【請求項３】
前記無線トランシーバは、前記患者インターフェースカプラエンドにおいて接続された前記アクセサリから無線周波数識別タグおよび近距離無線通信識別タグのうち１つを読み出すように構成される、請求項１〜２のいずれか１つの呼吸装置。
【請求項４】
前記アクセサリは、前記呼吸可能なガスの流れを前記送達導管から前記患者へ送達させるための患者インターフェースである、請求項２〜３のいずれか１つの呼吸装置。
【請求項５】
前記無線トランシーバは、前記コントローラへ連結され、前記アクセサリの識別を含むデータを前記コントローラへリレーするように構成される、請求項１〜４のいずれか１つの呼吸装置。
【請求項６】
前記コントローラは、前記呼吸治療デバイスに配置される、請求項５の呼吸装置。
【請求項７】
前記コントローラは、前記送達導管上の回路基板上に配置され、前記無線トランシーバは、前記アクセサリの識別を含むデータを、有線接続を介して前記コントローラへリレーするように構成される、請求項５の呼吸装置。
【請求項８】
前記コントローラは、前記アクセサリの識別を含むデータを前記呼吸治療デバイスのコントローラへリレーするように構成される、請求項６の呼吸装置。
【請求項９】
前記送達導管の長さに沿って延びる２本以上のワイヤと、
前記送達導管の前記２本以上のワイヤを介して電源に接続するように適合された第１の誘導性コネクタと、
電力を前記コントローラの前記回路コンポーネントへ導通させるようにコントローラの回路コンポーネントへ接続された第２の誘導性コネクタであって、前記コントローラの前記回路コンポーネントは、前記送達導管の終端部へ接続するように適合されたカフ内に構成され、前記第１の誘導性コネクタは、電力を前記第２の誘導性コネクタへ誘導転送するように構成される、第２の誘導性コネクタと
をさらに含む、請求項１〜８のいずれか１つの呼吸装置。
【請求項１０】
少なくとも１つのコントローラが、前記患者インターフェースカプラエンドへ取り付けられた前記アクセサリの持続使用期間を決定するように構成される、請求項１〜９のいずれか１つの呼吸装置。
【請求項１１】
呼吸治療デバイスをさらに含む、請求項１〜１０のうちいずれか一項の呼吸装置。
【請求項１２】
前記呼吸治療デバイス中の第１のコントローラは、前記患者インターフェースカプラエンド中の第２のコントローラに給電するように第１のスイッチを動作させるように構成され、前記患者インターフェースカプラエンド中の第２のコントローラは、前記送達導管内を流れる前記呼吸可能なガスの加熱および前記第１のコントローラと前記第２のコントローラ間のデータ通信を断続的に制御するように第２のスイッチを動作させるように構成される、請求項１１の呼吸装置。
【請求項１３】
前記呼吸治療デバイスは、加湿器および流れ生成器を含む、請求項１２の呼吸装置。 
【手続補正２】
【補正対象書類名】明細書
【補正対象項目名】００９５
【補正方法】変更
【補正の内容】
【００９５】
上記の記載および添付の図面において、特定の用語、式および図中の記号は、本技術の深い理解のためのものである。いくつかの場合において、用語および記号は、本技術の実施に不要な特定の詳細を示し得る。なお、本明細書中の技術について、特定の実施形態を参照して述べてきたが、これらの実施形態は本技術の原理および用途を例示したものに過ぎないことが理解されるべきである。よって、本技術の意図および範囲から逸脱することなく、例示的な実施形態において多数の変更例が可能であり、また、他の配置を考え得ることが理解されるべきである。
なお、本願の出願当初の開示事項を維持するために、本願の出願当初の請求項１〜４７の記載内容を以下に追加する。
（請求項１）
患者への呼吸可能なガスの流れを送達する患者インターフェースおよび呼吸可能なガス流れを生成する呼吸治療デバイスとの結合用の呼吸装置であって、
前記生成された呼吸可能なガスの流れを前記呼吸治療デバイスから前記患者インターフェースへ導通させるように構成されたガス通路を有する送達導管であって、前記送達導管は、呼吸治療デバイスカプラエンドおよび患者インターフェースカプラエンドを有し、前記送達導管の長さは、前記呼吸治療デバイスカプラエンドから前記患者インターフェースカプラエンドへ延びる、送達導管と、
前記呼吸治療デバイスカプラエンドよりも前記患者インターフェースカプラエンドに近い前記送達導管の長さに沿った一点において前記送達導管上に取り付けられた無線トランシーバと
を含んでなる呼吸装置。
（請求項２）
前記無線トランシーバは、前記患者インターフェースカプラエンドにおいて接続されたアクセサリから送信されたアクセサリ識別子を検出するように構成される、請求項１の呼吸装置。
（請求項３）
前記無線トランシーバは、前記患者インターフェースカプラエンドにおいて接続されたアクセサリから無線周波数識別タグおよび近距離無線通信識別タグのうち１つを読み出すように構成される、請求項１〜２のいずれか１つの呼吸装置。
（請求項４）
前記アクセサリは、前記呼吸可能なガスの流れを前記送達導管から前記患者へ送達させるための患者インターフェースである、請求項２〜３のいずれか１つの呼吸装置。
（請求項５）
前記無線トランシーバは、コントローラへ連結され、アクセサリの識別を含むデータを前記コントローラへリレーするように構成される、請求項１〜４のいずれか１つの呼吸装置。
（請求項６）
前記コントローラは、前記呼吸治療デバイスに配置される、請求項５の呼吸装置。
（請求項７）
前記コントローラは、前記送達導管上の回路基板上に配置され、前記無線トランシーバは、前記アクセサリの識別を含むデータを、有線接続を介して前記コントローラへリレーするように構成される、請求項５の呼吸装置。
（請求項８）
前記コントローラは、前記アクセサリの識別を含むデータを前記呼吸治療デバイスのコントローラへリレーするように構成される、請求項６の呼吸装置。
（請求項９）
前記送達導管の長さに沿って延びる２本以上のワイヤと、
前記送達導管の前記２本以上のワイヤを介して電源に接続するように適合された第１の誘導性コネクタと、
電力を前記コントローラの前記回路コンポーネントへ導通させるようにコントローラの回路コンポーネントへ接続された第２の誘導性コネクタであって、前記コントローラの前記回路コンポーネントは、前記送達導管の終端部へ接続するように適合されたカフ内に構成され、前記第１の誘導性コネクタは、電力を前記第２の誘導性コネクタへ誘導転送するように構成される、第２の誘導性コネクタと
をさらに含む、請求項１〜８のいずれか１つの呼吸装置。
（請求項１０）
少なくとも１つのコントローラが、前記患者インターフェースカプラエンドへ取り付けられたアクセサリの持続使用期間を決定するように構成される、請求項１〜９のいずれか１つの呼吸装置。
（請求項１１）
呼吸治療デバイスをさらに含む、請求項１〜１０のうちいずれか一項の呼吸装置。
（請求項１２）
前記呼吸治療デバイス中の前記コントローラは、前記患者インターフェースカプラエンド中のコントローラに給電するように第１のスイッチを動作させるように構成され、前記患者インターフェースカプラエンド中の前記コントローラは、前記送達導管内を流れる前記呼吸可能なガスの加熱および前記コントローラ間のデータ通信を断続的に制御するように第２のスイッチを動作させるように構成される、請求項１１の呼吸装置。
（請求項１３）
前記呼吸治療デバイスは、加湿器および流れ生成器を含む、請求項１２の呼吸装置。
（請求項１４）
呼吸装置制御デバイスであって、
呼吸治療デバイスのための呼吸可能なガス送達導管であって、前記呼吸可能なガス送達導管は、前記呼吸治療デバイスの空気流れ生成器の出口に接続するように適合され、患者インターフェースの呼吸可能なガス入口へ接続するように適合される、呼吸可能なガス送達導管と、
前記呼吸可能なガス送達導管の一部の周囲において屈曲された表面を有するフレキシブルプリント回路基板と、
前記フレキシブルプリント回路基板の前記表面に取り付けられたコントローラであって、前記コントローラは、前記呼吸治療デバイスの１つ以上のパラメータの決定を制御するように構成される、コントローラと
を含んでなる呼吸装置制御デバイス。
（請求項１５）
前記フレキシブルプリント回路基板は、通信インターフェースをさらに含み、前記通信インターフェースは、前記送達導管に沿ったデータバスの１つ以上のワイヤへ接続するように適合され、前記コントローラは、前記通信インターフェースを制御して、前記データバス上のデータ信号を送信するように構成される、請求項１４の呼吸装置制御デバイス。
（請求項１６）
前記フレキシブルプリント回路基板の前記表面に取り付けられた無線トランシーバをさらに含み、前記無線トランシーバは、
前記呼吸治療デバイスの前記コントローラのトランシーバと
前記患者インターフェースの識別回路と
のうち一方または双方と通信するように構成される、請求項１４〜１５のいずれか１つの呼吸装置制御デバイス。
（請求項１７）
前記１つ以上のパラメータのパラメータは、前記送達導管を通じて前記呼吸治療デバイスから送達される呼吸可能なガスの特性である、
請求項１４〜１６のいずれか１つの呼吸装置制御デバイス。
（請求項１８）
前記１つ以上のパラメータのパラメータは、前記送達導管の終端部へ連結された患者インターフェースの特性である、
請求項１４〜１７のいずれか１つの呼吸装置制御デバイス。
（請求項１９）
前記フレキシブルプリント回路基板の前記表面へ取り付けられた前記コントローラは、前記呼吸可能なガスの特性の閉ループ制御のために前記送達導管中の呼吸可能なガスの特性の測定を前記呼吸治療デバイスのコントローラへ通信するように構成される、
請求項１４〜１８のいずれか１つの呼吸装置制御デバイス。
（請求項２０）
前記フレキシブルプリント回路基板の前記表面へ取り付けられた前記コントローラは、前記送達導管中の呼吸可能なガスの特性の測定を決定することと、前記呼吸可能なガスの特性を制御することとを行うように構成される、
請求項１４〜１８のいずれか１つの呼吸装置制御デバイス。
（請求項２１）
前記呼吸可能なガスの前記制御される特性は温度であり、前記コントローラは、前記送達導管のヒータ要素を動作させるように構成される、
請求項２０の呼吸装置制御デバイス。
（請求項２２）
前記フレキシブルプリント回路基板の前記表面へ取り付けられた前記コントローラは、患者インターフェースの前記送達導管に対する接続および接続解除を検出することと、前記検出に基づいて前記呼吸治療デバイスの動作を制御するためにデータ信号を呼吸治療デバイスのコントローラへ生成することとを行うように構成される、
請求項１４〜２１のいずれか１つの呼吸装置制御デバイス。
（請求項２３）
前記フレキシブルプリント回路基板は、前記表面へ取り付けられた１つ以上のセンサを含む、
請求項１４〜２２のいずれか１つの呼吸装置制御デバイス。
（請求項２４）
前記フレキシブルプリント回路基板の前記表面は、前記送達導管の前記部位のアパチャを通じて前記送達導管のガス通路中へと屈曲されて、前記送達導管の前記ガス通路のガスの特性を感知するために、前記延長ストリップへ取り付けられたセンサを前記ガス通路中へ伸長させる延長ストリップを含む、
請求項１４〜２２のいずれか１つの呼吸装置制御デバイス。
（請求項２５）
前記１つ以上のセンサは、前記送達導管を通じて送達される空気の圧力、空気流れ、温度および相対湿度のうち少なくとも１つ以上を測定するように適合される、
請求項２３の呼吸装置制御デバイス。
（請求項２６）
前記送達導管の部位は、患者インターフェースとの取り外し可能な連結のために適合された前記送達導管の円筒カフを含む、
請求項１４〜２５のいずれか１つの呼吸装置制御デバイス。
（請求項２７）
前記円筒カフは、前記フレキシブルプリント回路基板を封入するためのシースをさらに含む、
請求項２６の呼吸装置制御デバイス。
（請求項２８）
前記円筒カフは前記送達導管のガス通路を含み、前記ガス通路は、前記フレキシブルプリント回路基板の前記表面へ取り付けられた前記コントローラによって制御されるヒータ要素を含む、
請求項２６〜２７のいずれか１つの呼吸装置制御デバイス。
（請求項２９）
前記フレキシブルプリント回路基板の前記表面へ取り付けられた前記コントローラは、１組のワイヤを通じて加熱動作とデータ信号伝達動作との間の断続的切り替えによってデータ通信および前記送達導管の加熱を行うように構成される、前記１組のワイヤは、前記送達導管に沿って延び、３つのワイヤ導体からなる、請求項１４〜２８のいずれか１つの呼吸装置制御デバイス。
（請求項３０）
呼吸装置であって、
呼吸可能なガスの流れを患者へ生成する呼吸治療デバイスと、
呼吸治療デバイスからの呼吸可能なガスの流れを患者インターフェースへと伝導するための送達導管と、
前記呼吸治療デバイスに配置された第１のコントローラと、
前記送達導管の患者エンドに配置されるかまたはその近隣に配置される第２のコントローラと、
前記第１のコントローラおよび前記第２のコントローラを接続させる前記送達導管に沿った１組のワイヤであって、前記１組のワイヤは、前記送達導管の加熱および前記第１のコントローラおよび前記第２のコントローラ間のデータ通信双方のための３つのワイヤを含む、１組のワイヤと
を含んでなり、
前記第１のコントローラおよび第２のコントローラの片方または双方は、通信動作および加熱動作を前記１組のワイヤを通じて交互にインターリーブするように構成される、呼吸装置。
（請求項３１）
前記１組のワイヤは、第１のワイヤ、第２のワイヤおよび接地ワイヤを含み、前記第１のワイヤおよび接地ワイヤにより、前記第１のコントローラおよび前記第２のコントローラ間のデータ通信が可能になり、前記第２のワイヤおよび前記接地ワイヤにより、前記呼吸治療デバイスの電源からの電力を用いた前記送達導管のための熱が得られる、
請求項３０の呼吸装置。
（請求項３２）
前記呼吸治療デバイスに配置されかつ前記第１のコントローラによって制御される第１のスイッチと、前記送達導管に配置されかつ前記第２のコントローラによって制御される第２のスイッチとをさらに含む、請求項３０〜３１のうちいずれか１つの呼吸装置。
（請求項３３）
前記第１のスイッチおよび前記第２のスイッチそれぞれが閉められると、加熱動作が制御される、請求項３２の呼吸装置。
（請求項３４）
前記第１のスイッチが閉められ、前記第２のスイッチが開けられると、通信動作の制御が可能になる、請求項３１〜３３のうちいずれか１つの呼吸装置。
（請求項３５）
前記通信動作は、前記送達導管中の１つ以上のセンサからの測定の送信を含む、請求項３３の呼吸装置。
（請求項３６）
前記１つ以上のセンサは、前記送達導管場中の空気流れ、圧力、温度および相対湿度のうち少なくとも１つを測定するように構成される、請求項３５の呼吸装置。
（請求項３７）
前記通信動作は、前記送達導管へ連結されたアクセサリの識別の送信を含む請求項３４の呼吸装置。
（請求項３８）
前記送達導管の前記患者エンドへ取り付けられたカフおよびシースをさらに含み、前記第２のコントローラは、前記カフ上に配置され、前記シースによって被覆される、請求項３０〜３７のうちいずれか１つの呼吸装置。
（請求項３９）
呼吸装置のための制御方法であって、前記呼吸装置は、呼吸可能なガスの流れを生成する呼吸治療デバイスと、前記生成された呼吸可能なガスの流れを前記呼吸治療デバイスから患者インターフェースへ導通させる送達導管と、第１のコントローラを第２のコントローラへ連結させる１組のワイヤとを含み、前記１組のワイヤは、前記送達導管に沿って延び、前記第１のコントローラおよび前記第２のコントローラを分離させ、前記制御方法は、
通信動作において前記１組のワイヤを通じて前記第１のコントローラにおいてデータを受信するステップと、
前記通信動作において前記第２のコントローラから前記１組のワイヤを通じて前記データを送信するステップと、
加熱動作において前記第１のコントローラおよび第２のコントローラの片方または双方によって前記１組のワイヤを加熱して、前記送達導管を通じて呼吸可能なガスの流れを加熱するステップと、
前記加熱動作および前記通信動作をインターリーブするステップと
を含んでなる、制御方法。
（請求項４０）
前記通信動作の前記データは、前記送達導管内を流れる前記呼吸可能なガスの流れ、圧力、温度および相対湿度のうち１つ以上のものを示す、請求項３９の制御方法。
（請求項４１）
前記加熱動作は、パルス幅変調信号によって制御される、請求項３９〜４０のうちいずれか１つの制御方法。
（請求項４２）
送達導管アセンブリを構築する方法であって、前記送達導管アセンブリは、呼吸治療デバイスからの呼吸可能なガスの流れを患者インターフェースへ導通させ、前記送達導管はカフコネクタ端部を有しており、前記方法は、
前記フレキシブルプリント回路基板の表面を円筒形態に屈曲させるように、フレキシブルプリント回路基板を前記カフコネクタ端部の外面の周囲にラップおよび貼付するステップであって、前記カフコネクタ端部は、円筒ガス通路を含みかつ開口した第１の端部および第２の端部を有する、ラップおよび貼付するステップと、
管の端部を前記カフコネクタ端部へ取り付けるステップと、
前記プリント回路基板および前記カフコネクタ端部の少なくとも一部をシースにより被覆するステップと
を含んでなる、送達導管アセンブリを構築する方法。
（請求項４３）
前記フレキシブルプリント回路基板の延長ストリップを前記カフコネクタ端部を通じてアパチャに挿入して、前記延長ストリップ上に取り付けられたセンサを前記カフコネクタ端部の前記円筒ガス通路に挿入するステップをさらに含む、請求項４２の方法。
（請求項４４）
前記挿入するステップの前に、前記センサおよび前記延長ストリップの端部をキャップで蓋をするステップをさらに含む、請求項４３の方法。
（請求項４５）
管の１組のワイヤの１つ以上のワイヤを前記フレキシブルプリント回路基板上の端子へ貼付するステップをさらに含む、請求項４２〜４５のうちいずれか１つの方法。
（請求項４６）
前記カフコネクタ端部の通信路の周囲にワイヤアンテナをコイリングするステップと、前記ワイヤアンテナのワイヤ端部を前記プリント回路基板の端子へ貼付するステップとをさらに含む、請求項４２〜４５のうちいずれか１つの方法。
（請求項４７）
前記カフコネクタ端部を患者インターフェースへ取り外し可能に連結させるステップと、
連結器を用いて前記管の端部を呼吸治療デバイス生成器へ取り外し可能に取り付けるステップと
をさらに含む、請求項４２〜４６のうちいずれか１つの方法。